(57)【要約】【課題】プロセスカートリッジＰ（ＰＹ・ＰＭ・ＰＣ・ＰＫ）を装置本体Ａに着脱する電子写真画像形成装置において、カートリッジＰの着脱時における、トナー補給装置３４からプロセスカートリッジＰへのトナー渡し部のシャッターの開閉動作に伴う飛散トナーに起因する装置本体Ａ内のトナー汚れを簡単な構成で防ぐ。これにより、像露光装置の防振ガラスに対する遮蔽及び清掃手段の配設を省略することを可能にした電子写真画像形成装置を提供する。【解決手段】カートリッジＰとトナー補給装置３４を支持させた移動部材４２が装置本体Ａの外側の記引出し位置に引き出されて、カートリッジ交換時に初めてシャッターが閉じ動作して前記トナー渡し部が遮蔽される、又はシャッターが開き動作して前記のトナー渡し部が開放されることを特徴とする。【選択図】図６
2009086417.tif 000002
【特許請求の範囲】
【請求項１】
電子写真感光体ドラムと、前記電子写真感光体ドラムに作用するプロセス手段としての、少なくとも、前記電子写真感光体ドラムに形成され潜像をトナーで現像する現像手段と、を有するプロセスカートリッジを電子写真画像形成装置の装置本体に取り外し可能に装着して、記録媒体に画像を形成する電子写真画像形成装置において、
前記装置本体の内側へ前記プロセスカートリッジを挿入する、及び、前記装置本体の内側から前記プロセスカートリッジを取り出すために、前記プロセスカートリッジを通過させる開口と、
レール部材にスライド移動可能に保持されており、前記プロセスカートリッジと、前記プロセスカートリッジにトナーを補給するトナー補給装置と、を支持しており、前記開口を通過して前記プロセスカートリッジを前記装置本体の外側において着脱できる引出し位置と、前記プロセスカートリッジを前記装置本体の内側に装着するための装着位置と、を取り得る移動部材と、
前記トナー補給装置から前記プロセスカートリッジへトナーを渡す第１のトナー渡し部と、
前記第１のトナー渡し部（３６）を遮蔽及び開放するために、前記第１のトナー渡し部を構成する、前記プロセスカートリッジに設けられた開口を開閉するための第１のシャッターと、前記トナー補給装置に設けられた開口を開閉するための第２のシャッターと、
を有し、前記移動部材が前記引出し位置に引き出されて、前記プロセスカートリッジが交換される時に、前記第１のシャッターと前記第２のシャッターが閉じ動作して前記第１のトナー渡し部が遮蔽される、又は前記第１のシャッターと前記第２のシャッターが開き動作して前記第１のトナー渡し部が開放される、ことを特徴とする電子写真画像形成装置。
【請求項２】
前記移動部材が前記装着位置に位置している状態において、前記移動部材に支持されている前記プロセスカートリッジの下方に、前記電子写真感光体ドラムに対する像露光装置がある、ことを特徴とする請求項１に記載の電子写真画像形成装置。
【請求項３】
前記移動部材は、複数のプロセスカートリッジを支持している、ことを特徴とする請求項１又は２に記載の電子写真画像形成装置。
【請求項４】
前記複数のプロセスカートリッジが、ブラック色のトナーを収容しているプロセスカートリッジ、シアン色のトナーを収容しているプロセスカートリッジ、マゼンタ色のトナーを収容しているプロセスカートリッジ、イエロー色のトナーを収容しているプロセスカートリッジである、ことを特徴とする請求項３に記載の電子写真画像形成装置。
【請求項５】
前記移動部材が前記装着位置に位置している状態において、前記移動部材に支持されている前記プロセスカートリッジの上方に、前記電子写真感光体ドラムに接触して前記電子写真感光体ドラムに形成されたトナー像を転写する中間転写ベルト装置があり、前記中間転写ベルト装置を前記電子写真感光体ドラムから離間させる離間手段を有し、前記中間転写ベルト装置が前記電子写真感光体ドラムから離間されている状態において、前記移動部材が前記引出し位置に引き出される、又は前記装着位置に移動される、ことを特徴とする請求項１から４のいずれかに記載の電子写真画像形成装置。
【請求項６】
前記第１のシャッターと前記第２のシャッターは、前記移動部材が前記引出し位置に引き出されて、前記プロセスカートリッジの前記移動部材からの取り出し方向への移動に連動して閉じ動作し、前記プロセスカートリッジの前記移動部材に対する装着方向への移動に連動して開き動作する、ことを特徴とする請求項１から５のいずれかに記載の電子写真画像形成装置。
【請求項７】
前記プロセスカートリッジは、前記電子写真感光体ドラムから廃トナーを除去するクリーニング手段を有しており、
前記移動部材は、廃トナー搬送装置と、前記廃トナー搬送装置で搬送される廃トナーを収容する廃トナー回収装置と、を支持しており、
前記プロセスカートリッジから前記廃トナー搬送装置へ廃トナーを渡す第２のトナー渡し部と、
前記第２のトナー渡し部を遮蔽及び開放するために、前記第２のトナー渡し部を構成する、前記プロセスカートリッジに設けられた開口を開閉するための第３のシャッターと、
を有し、前記移動部材が前記引出し位置に引き出され、前記プロセスカートリッジが交換される時に、前記第３のシャッターが閉じ動作して前記第２のトナー渡し部が遮蔽される、又は前記第３のシャッターが開き動作して前記第２のトナー渡し部が開放される、ことを特徴とする請求項１から６のいずれかに記載の電子写真画像形成装置。
【請求項８】
前記第３のシャッターは、前記移動部材が前記引出し位置に引き出されて、前記プロセスカートリッジの前記移動部材からの取り出し方向への移動に連動して閉じ動作し、前記プロセスカートリッジの前記移動部材に対する装着方向への移動に連動して開き動作する、ことを特徴とする請求項７に記載の電子写真画像形成装置。
【請求項９】
前記プロセスカートリッジは、前記電子写真感光体ドラムから廃トナーを除去するクリーニング手段を有しており、
前記移動部材は、廃トナー搬送装置と、前記廃トナー搬送装置で搬送される廃トナーを収容する廃トナー回収装置と、を支持しており、
前記プロセスカートリッジから前記廃トナー搬送装置へ廃トナーを渡す第２のトナー渡し部と、
前記第２のトナー渡し部を遮蔽及び開放するために、前記第２のトナー渡し部を構成する、前記プロセスカートリッジに設けられた開口を開閉するための第３のシャッターと、前記廃トナー搬送装置に設けられた開口を開閉するための第４のシャッターと、
を有し、前記移動部材が前記引出し位置に引き出されて、前記プロセスカートリッジが交換される時に、前記第３のシャッターと前記第４のシャッターが閉じ動作して前記第２のトナー渡し部が遮蔽される、又は前記第３のシャッターと前記第４のシャッターが開き動作して前記第２のトナー渡し部が開放されることを特徴とする請求項１から６のいずれかに記載の電子写真画像形成装置。
【請求項１０】
前記第３のシャッターと前記第４のシャッターは、前記移動部材が前記引出し位置に引き出されて、前記プロセスカートリッジの前記移動部材からの取り出し方向への移動に連動して閉じ動作し、前記プロセスカートリッジの前記移動部材に対する装着方向への移動に連動して開き動作することを特徴とする請求項９に記載の電子写真画像形成装置。
【請求項１１】
開閉されるプロセスカートリッジ交換用カバーを有し、前記移動部材が前記引出し位置に引き出されて、前記プロセスカートリッジ交換用カバーの開閉に連動して、前記第３と第４のシャッターの開閉が行われ、この第３と第４のシャッターの開閉による前記第２のトナー渡し部の遮蔽又は開放がなされた後、前記移動部材に対する前記プロセスカートリッジの着脱がなされることを特徴とする請求項１０に記載の電子写真画像形成装置。
【請求項１２】
前記プロセスカートリッジ交換用カバーが、前記移動部材に開閉可能に支持されていて、閉じられている状態において、前記電子写真感光体ドラムに接触していて前記電子写真感光体ドラムに形成されたトナー像を転写する中間転写ベルト装置であることを特徴とする請求項１１に記載の電子写真画像形成装置。
【発明の詳細な説明】
【技術分野】
【０００１】
本発明は、プロセスカートリッジを装置本体に着脱する電子写真画像形成装置に関する。
【０００２】
ここで、電子写真画像形成装置とは、電子写真方式（電子写真プロセス）を用いて記録媒体（記録材）に画像を形成するものである。そして、電子写真画像形成装置の例としては、例えば電子写真複写機、電子写真プリンタ（例えばレーザービームプリンタ、ＬＥＤプリンタ等）、フアクシミリ装置及びワードプロセッサ等が含まれる。
【０００３】
プロセスカートリッジとは、電子写真感光体ドラムと、これに作用するプロセス手段、例えば、帯電手段、現像手段、クリーニング手段等の少なくとも１つとを一体的にカートリッジ化して、電子写真画像形成装置の装置本体に対して着脱可能なものである。帯電手段は電子写真感光体ドラム（以下、ドラムと記す）を所定の極性・電位に一様に帯電するプロセス手段である。現像手段はドラムに形成された静電潜像をトナー像（現像剤像）として顕画するプロセス手段である。クリーニング手段はトナー像を他物に転写した後のドラムの表面を清掃するプロセス手段である。
【０００４】
本発明においては、プロセスカートリッジは、電子写真感光体ドラムと、プロセス手段としての少なくとも現像手段とを一体的にカートリッジ化して装置本体に着脱可能としたものである。
【０００５】
装置本体とは、プロセスカートリッジを除いた電子写真画像形成装置部分である。
【０００６】
プロセスカートリッジは、使用者自身によって装置本体に対する着脱を行うことができるため、装置本体のメンテナンスを容易に行うことができる。
【背景技術】
【０００７】
近年、電子写真方式を採用する画像形成装置では、フルカラー化が進んでおり、各色のトナー像を形成するプロセスカートリッジ（以下、カートリッジと記す）も４つ以上を配置している。そして、装置本体の大きさを小さくし、普通紙・厚紙・ＯＨＰシート等の記録媒体の種類による画像不良を無くすために、各カートリッジのドラムに形成したトナー像を中間転写ベルトに順次に重ね合わせて１次転写する。そして、その中間転写ベルト上の１次転写トナー像を記録媒体に２次転写する構成が多く用いられている。
【０００８】
特許文献１・２には、各カートリッジを中間転写ベルトの下側に配置し、その各カートリッジの下側にドラムに対する像露光装置を配置した構成の画像形成装置が開示されている。この構成により、カートリッジから２次転写部への距離を出来るだけ短くすると共に、中間転写ベルトに１次転写で作成したトナー像の２次転写までの時間を短くすることができてプリントタイムの短縮が可能となる。
【０００９】
カートリッジは画像形成に使用されるにつれて、現像手段に収容されている現像剤（トナー）が逐次に消費される。そこで、装置本体に、トナーカートリッジ又はトナーホッパーに収容のトナーをカートリッジの現像手段に対して定量的に補給するトナー補給装置を配設した構成の画像形成装置がある。カートリッジが装置本体に装着されている状態においては、カートリッジ側のトナー入口部とトナー補給装置側のトナー出口部とが対応していて、トナー補給装置側からカートリッジ側へ適時・適量のトナーが供給される。カートリッジ側のトナー入口部には第１のシャッターが配設され、トナー補給装置側のトナー出口部には第２のシャッターが配設されている。そして、カートリッジが装置本体に装着されている状態においては、第１と第２のシャッターはそれぞれ開き位置にあり、カートリッジ側のトナー入口部とトナー補給装置側のトナー出口部がそれぞれ開口している状態で対応している。そして、カートリッジを装置本体から取り出すときのカートリッジの取り出し方向への移動に連動して第１と第２のシャッターが閉じ動作して、カートリッジ側のトナー入口部とトナー補給装置側のトナー出口部とが遮蔽される構成となっている。また、カートリッジを装置本体に装着するときのカートリッジの装着方向への移動に連動して第１と第２のシャッターが開き動作して、カートリッジ側のトナー入口部とトナー補給装置側のトナー出口部がそれぞれ開口した状態で対応する構成となっている。
【００１０】
また、カートリッジとトナーカートリッジとトナー補給装置とを一体にして装置本体に対する着脱を行う構成の画像形成装置もある。この画像形成装置も、カートリッジ側のトナー入口部には第１のシャッターが配設され、トナー補給装置側のトナー出口部には第２のシャッターが配設されている。そして、カートリッジが装置本体に装着されている状態においては、第１と第２のシャッターが開き位置にあり、カートリッジ側のトナー入口部とトナー補給装置側のトナー出口部がそれぞれ開口した状態で対応している。これにより、トナー補給装置側からカートリッジ側へ適時・適量のトナーが供給される。カートリッジの装置本体から取り出しは、カートリッジを装置本体から引き出す前に、第１と第２のシャッターを閉じ動作させてカートリッジ側のトナー入口部とトナー補給装置側のトナー出口部を互いに遮蔽した状態にする。そして、カートリッジとトナーカートリッジとトナー補給装置とを一体で装置本体にから引き出す構成である。カートリッジの装置本体に対する装着は、カートリッジとトナーカートリッジとトナー補給装置とを一体で装置本体に押し込み移動して装着位置に位置させる。その後に、第１と第２のシャッターを開き動作させて、カートリッジ側のトナー入口部とトナー補給装置側のトナー出口部をそれぞれ開口させる。
【００１１】
ところで、上記のような構成の画像形成装置においては、装置本体に対するカートリッジの着脱時における第１と第２のシャッターの開閉動作は、カートリッジが装置本体内に存在している状態においてなされる。そのために、第１と第２のシャッターの開閉動作に起因して、カートリッジ側のトナー入口部やトナー補給装置側のトナー出口部の外側に僅かながらも生じる飛散トナーがカートリッジの下方にある像露光装置の上に落ちる。その像露光装置上に落ちた飛散トナーが像露光装置の光学部品の汚れを防止する防塵ガラスを汚す。
【００１２】
防塵ガラスの汚れは、防塵ガラスから出射するレーザー光等の像露光光を部分的に遮光して形成画像の劣化などを生じさせ、光学的な特性に影響を与えてしまう。特に、像露光装置が装置本体内の下方に設けられ、出射開口部が上方に向いている場合は、防塵ガラスへの汚れの付着の恐れが強くなる。
【００１３】
特許文献２には、上記のような像露光装置（光学ユニット）の防塵ガラスの汚れ防止・清掃技術が開示されている。これは、装置本体に対するカートリッジの着脱の際に、開口することが必要な装置本体開口部の開口動作に連動して、像露光装置上の防振ガラスを遮蔽及び清掃する構成のものである。
【００１４】
この構成により、カートリッジの着脱時に生じる飛散トナーの防塵ガラスへの付着防止を行うことが可能となる。また、カートリッジの着脱時までに防塵ガラスに体積した粉塵やトナーの汚れの清掃を行うことが可能となる。
【特許文献１】特開２００３−２８７９３９号公報
【特許文献１】特開２００４−０８５８９９号公報
【発明の開示】
【発明が解決しようとする課題】
【００１５】
本発明は前述した従来の構成を更に発展させたものである。本発明の目的は、カートリッジの着脱時におけるシャッターの開閉動作に伴う飛散トナーに起因する装置本体内のトナー汚れを簡単な構成で防ぐ事である。これにより、像露光装置の防振ガラスに対する遮蔽及び清掃手段の配設を省略することを可能にした電子写真画像形成装置を提供するものである。
【課題を解決するための手段】
【００１６】
上記の目的を達成するための本発明に係る電子写真画像形成装置の代表的な構成は、
電子写真感光体ドラムと、前記電子写真感光体ドラムに作用するプロセス手段としての、少なくとも、前記電子写真感光体ドラムに形成され潜像をトナーで現像する現像手段と、を有するプロセスカートリッジを電子写真画像形成装置の装置本体に取り外し可能に装着して、記録媒体に画像を形成する電子写真画像形成装置において、
前記装置本体の内側へ前記プロセスカートリッジを挿入する、及び、前記装置本体の内側から前記プロセスカートリッジを取り出すために、前記プロセスカートリッジを通過させる開口と、
レール部材にスライド移動可能に保持されており、前記プロセスカートリッジと、前記プロセスカートリッジにトナーを補給するトナー補給装置と、を支持しており、前記開口を通過して前記プロセスカートリッジを前記装置本体の外側において着脱できる引出し位置と、前記プロセスカートリッジを前記装置本体の内側に装着するための装着位置と、を取り得る移動部材と、
前記トナー補給装置から前記プロセスカートリッジへトナーを渡す第１のトナー渡し部と、
前記第１のトナー渡し部を遮蔽及び開放するために、前記第１のトナー渡し部を構成する、前記プロセスカートリッジに設けられた開口を開閉するための第１のシャッターと、前記トナー補給装置側の開口を開閉するための第２のシャッターと、
を有し、前記移動部材が前記引出し位置に引き出されて、前記プロセスカートリッジが交換される時に、前記第１のシャッターと前記第２のシャッターが閉じ動作して前記第１のトナー渡し部が遮蔽される、又は前記第１のシャッターと前記第２のシャッターが開き動作して前記第１のトナー渡し部が開放される、ことを特徴とする。
【発明の効果】
【００１７】
本発明によれば、プロセスカートリッジを支持させた移動部材が装置本体の外側の引出し位置に引き出された状態において、第１のトナー渡し部を遮蔽及び開放する第１と第２のシャッターの開閉がなされる。従って、第１と第２のシャッターの開閉動作に伴って飛散トナーが生じたとしても、それは装置本体の外側であるから、装置本体内の像露光装置上への飛散トナーの落下はなく、画像不良を防止できる。
【発明を実施するための最良の形態】
【００１８】
［実施例１］
《電子写真画像形成装置例の全体的な概略構成の説明》
図１は本実施例の電子写真画像形成装置の外観斜視図、図２はこの画像形成装置の縦断正面模式図、図３は図２の部分的な拡大図である。
【００１９】
この画像形成装置１は、記録媒体である記録材Ｓに単色又は複数色又はフルカラーの画像を形成することができるインライン型・中間転写方式の電子写真画像形成装置（複写機、プリンタ、ファクシミリ、それらの複合機）である。また、この画像形成装置１は、第１から第４の４個のプロセスカートリッジＰ（ＰＹ・ＰＭ・ＰＣ・ＰＫ）を画像形成装置本体（以下、装置本体と記す）Ａに対して取り外し可能に装着して使用するプロセスカートリッジ着脱方式である。
【００２０】
ここで、本実施例の画像形成装置１に関して、正面側又は手前側とは、開閉ドア２を配設した側である。背面側又は奥側とは、その反対側である。前後方向とは、背面側から正面側へ向う方向（前方向）と、その逆方向（後方向）である。左右とは、画像形成装置１を正面側から見て左又は右である。左右方向とは、右から左に向う方向（左方向）と、その逆の方向（右方向）である。装置本体Ａとは、プロセスカートリッジ（以下、カートリッジと記す）以外の画像形成装置部分である。カートリッジ又はその構成部材、あるいは装置本体側の構成部材に関して、長手方向とは、像担持体である電子写真感光体ドラム（以下、ドラムと記す）４の軸線方向或いはその軸線方向に平行な方向である。カートリッジに関して、その長手において、装置本体側から駆動が伝達される側を駆動側と称し、その反対側を非駆動側と称する。
【００２１】
装置本体Ａの上側には原稿読取装置（イメージスキャナ）Ｂが配設されている。装置本体Ａの下側には上下４段重ねで第１から第４の４つの給紙カセット（給紙ユニット）Ｃ１・Ｃ２・Ｃ３・Ｃ４が配設されている。装置本体Ａの右側面には手差トレイＣ５が配設されている。この手差トレイＣ５は不使用時には装置本体Ａの右側面に対して畳み込んで格納自在である。Ｄはパーソナルコンピュータ・ファクシミリ装置等の外部入力機器（外部ホスト装置）であり、インターフェイスを介して装置本体Ａに内装されたコントローラ（制御基板、制御回路部（ＣＰＵ））Ｅに電気的に接続されている。コントローラＥは画像形成装置全体の動作を統括制御する。
【００２２】
装置本体Ａ内の中央部には各カートリッジＰを収納するカートリッジ収納部３が設けられている。各カートリッジＰは、この収納部３に、その長手方向を前後方向にして、左側から右側にかけて、右下がりの上下斜め方向に配列されて、画像形成可能な位置に位置決めされて装着されている。即ち、最も左側の第１のカートリッジＰＹが最も高く、第２のカートリッジＰＭがそれよりも低く、第３のカートリッジＰＣが更に低く、最も右側の第４のカートリッジＰＫが最も低い、右下がりの上下斜め方向に配列されている。
【００２３】
各カートリッジＰが収納部３において画像形成可能な位置に装着されているときの、各カートリッジＰの有するドラム４の各回転中心Ｏを通るように仮想した仮想平面をＦとする。そして、その仮想平面Ｆの水平面Ｇに対する傾斜角をθとする。本実施例においては、その傾斜角θを略２０°に設定している。このように、複数のカートリッジＰを上下斜め方向に配列することによって装置本体Ａの水平方向の幅を抑えることができる。
【００２４】
各カートリッジＰは、それぞれ現像装置に収容の現像剤（以下、トナーと記す）の色が異なるだけで、同様の電子写真プロセス機構を有している。収納部３において、画像形成可能な位置に装着された各カートリッジＰには、装置本体Ａ側から回転駆動力が伝達され、また、バイアス（帯電バイアス、現像バイアス等）が供給される（不図示）。
【００２５】
本実施例の各カートリッジＰは、像担持体としての電子写真感光体ドラム（以下、ドラムと記す）４と、このドラム４に作用するプロセス手段としての帯電装置５・現像装置６・ドラムクリーナ装置７をカートリッジ枠体８内に一体的に組み付けたものである。本実施例において、ドラム４は、負帯電性のＯＰＣ感光体であり、アルミニウム製のドラム基体と、そのドラム基体周面に形成された光導電層を有する。帯電装置（帯電手段）５の帯電部材としては帯電ローラを用いている。現像装置（現像手段）６の現像部材としては現像ローラを用いている。ドラムクリーナ装置（クリーニング手段）７のクリーニング部材としてはクリーニングブレードを用いている。
【００２６】
第１のカートリッジＰＹは、現像容器内にイエロー色（Ｙ）のトナーが収容されていて、ドラム４の面にＹ色のトナー像を形成する。第２のカートリッジＰＭは、現像容器内にマゼンタ色（Ｍ）のトナーが収容されていて、ドラム４の面にＭ色のトナー像を形成する。第３のカートリッジＰＣは、現像容器内にシアン色（Ｃ）のトナーが収容されていて、ドラム４の面にＣ色のトナー像を形成する。第４のカートリッジＰＫは、現像容器内にブラック色（Ｋ）のトナーが収容されていて、ドラム４の面にＫ色のトナー像を形成する。
【００２７】
各カートリッジＰの下方には、ドラム４に対する像露光装置（画像情報露光手段）としてのレーザー露光装置（レーザースキャナ）９が配設されている。このレーザー露光装置９は、レーザー発光素子としてのレーザーダイオード（不図示）、スキャナモータ１０によって回転駆動されるポリゴンミラー１１、結像レンズ１２、反射ミラー１３等を有する。また、レーザー露光装置９は、各カートリッジＰのドラム４に対する上向きのレーザー光出射開口部１４を有し、防塵のための光透過部材である防塵ガラス１５が配設されている。レーザー発光素子は与えられて画像情報の時系列電気デジタル画素信号に対応した発光を行うレーザー発光手段である。
【００２８】
また、各カートリッジＰの上方には、中間転写ベルトユニット１５が配設してある。このユニット１５は、各カートリッジＰのドラム４に形成されたトナー像を中間転写ベルト（以下、ベルトと記す）１６に重畳させて１次転写する転写手段である。このユニット１５は、右側の駆動ローラ１７及び補助ローラ１８と、左側のテンションローラ１９を有し、この３本のローラ１７・１８・１９間に、可撓性を有するエンドレスのベルト１６が掛け回されて支持されている。そして、ベルト１６は、水平方向に対して斜めになるように配置されている。
【００２９】
カートリッジ収納部３において、画像形成可能な位置に装着されている各カートリッジＰのドラム４は、その上面がベルト１６の下行側のベルト部分の下面に接している。その接触部が１次転写部である。ベルト１６の内側には、各ドラム４に対向する１次転写ローラ２０が配設されていて、ベルト１６を介してドラム４の上面に対して押圧付勢されている。ベルト１６は、下行側のベルト部分が全てのドラム４の上面に対向して接触した状態で、矢印の反時計方向に、ドラム４の回転速度に対応した速度にて、駆動ローラ１７により循環移動駆動される。即ち、駆動ローラ１７は、ローラ軸上にギア（不図示）を備え、そのギアに噛合する装置本体Ａ側の駆動ギア（不図示）により回転駆動される。
【００３０】
各１次転写ローラ２０には、所定の制御タイミングで所定の１次転写電圧（バイアス）が印加される。中間転写ベルトユニット１５は装置本体Ａ内に配設されている転写フレーム２１で保持されている。また、この転写フレーム２１には、各１次転写ローラ２０に所定の１次転写電圧を印加するための１次転写電源２２が内蔵されている。
【００３１】
ここで、中間転写ベルトユニット１５と、これを保持している転写フレーム２１との全体を中間転写ベルト装置と称す。
【００３２】
駆動ローラ１７は２次転写対向ローラを兼ねていて、この駆動ローラ１７に対してベルト１６を介して２次転写ローラ２３が当接している。２次転写ローラ２３とベルト１６との接触部が２次転写部である。２次転写ローラ２３には、所定の制御タイミングで２次転写電源（不図示）から所定の２次転写電圧が印加される。
【００３３】
テンションローラ１９のベルト懸回部にはベルト１６の外面を清掃するベルトクリーナ装置２４が配設されている。
【００３４】
原稿読取装置Ｂはこれにセットされた原稿の画像を光学的に走査して、光電変換素子によりＲＧＢ（レッド・グリーン・ブルー）の三原色で色分解読取りする。そして、読取られたＲＧＢの各信号がコントローラＥの画像処理部（不図示）に入力する。コントローラＥはレーザー露光装置９を制御して原稿読取装置Ｂからの各色分解読取り画像情報（電気的画像情報）に対応して変調したレーザー光ＬＹ・ＬＭ・ＬＣ・ＬＫを第１から第４のカートリッジＰＹ・ＰＭ・ＰＣ・ＰＫのドラム４に対してそれぞれ出力する。
【００３５】
レーザー露光装置９においては、レーザーダイオード（不図示）から出力された変調レーザー光が回転駆動されるポリゴンミラー１１に照射される。ポリゴンミラー１１は照射されたレーザー光を偏向走査する。ポリゴンミラー１１を反射したレーザー光は、結像レンズ１２、反射ミラー１３、防塵ガラス１５を張った上向きのレーザー光出射開口部１４から上方に出射して各カートリッジＰのドラム４を走査露光する。
【００３６】
なお、プリンタモードの場合は、外部入力機器ＤとしてのパーソナルコンピュータからコントローラＥに入力した電気的画像情報が画像処理部で処理されて、画像形成装置１がプリンタとして機能する。ファクシミリ受信モードの場合は、外部入力機器Ｄとしての相手方ファクシミリ装置からコントローラＥに入力した電気的画像情報が画像処理部で処理されて、画像形成装置１がファクシミリ受信装置として機能する。ファクシミリ送信モードの場合は、原稿読取装置Ｂで光電読取りされた原稿の電気的画像情報がコントローラＥにより外部入力機器Ｄとしての相手方ファクシミリ受信装置に送信されて、画像形成装置１がファクシミリ送信装置として機能する。
【００３７】
フルカラー画像を形成するための動作は次のとおりである。コントローラＥは画像形成開始信号が発せられると、画像形成装置の画像形成動作を開始させる。即ち、第１から第４のカートリッジＰＹ・ＰＭ・ＰＣ・ＰＫのドラム４は、装置本体Ａ側の駆動装置によって矢印の時計方向に所定の速度（プロセススピード）で回転駆動される。ベルト１６も矢印の反時計方向（ドラム回転に順方向）にドラム４の速度に対応した速度で回転駆動される。レーザー露光装置９も駆動される。この駆動に同期して、各カートリッジＰにおいて、帯電電圧電源（不図示）から所定の帯電電圧が印加された帯電ローラ５によりドラム４の表面が所定の極性・電位に一様に帯電される。本実施例では、ドラム４の表面が、負極性の所定電位に均一に帯電される。レーザー露光装置９は各ドラム４の均一帯電表面を各色の画像情報信号に応じて変調されたレーザー光ＬＹ・ＬＭ・ＬＣ・ＬＫで走査露光する。レーザー露光装置９から出力されたレーザー光は、それぞれ、対応するカートリッジＰの底面側に具備させたスリット窓部８ａからカートリッジ枠体８内に下から上に進入する。そして、帯電装置５と現像装置６の間の隙間通路を通ってドラム４の下面を走査露光する。これにより、各ドラム４の表面に対応色の画像情報信号に応じた静電潜像が形成される。形成された静電潜像は現像装置５の現像ローラによりトナー像として現像（可視像化）される。いわゆるイメージ露光と反転現像とを組み合わせ用いられることが多い。本実施例においては、ドラム４の帯電極性（負極性）と同極性の現像バイアスが印加された現像ローラにより、ドラム４の露光明部にネガトナー（負極性の帯電トナー）を付着させて静電潜像をトナー像として現像している。
【００３８】
上記のような電子写真画像形成プロセス動作により、第１のカートリッジＰＹのドラム４にはフルカラー画像のイエロー成分に対応するＹ色トナー像が形成される。そして、そのトナー像がベルト１６上に１次転写される。１次転写ローラ２０には、トナーの帯電極性とは逆極性である正極性で所定電位の１次転写電圧が印加される。同様に、第２のカートリッジＰＭのドラム４にはフルカラー画像のマゼンタ成分に対応するＭ色トナー像が形成される。そして、そのトナー像が、ベルト１６上にすでに転写されているＹ色のトナー像に重畳されて１次転写される。同様に、第３のカートリッジＰＣのドラム４にはフルカラー画像のシアン成分に対応するＣ色トナー像が形成される。そして、そのトナー像が、ベルト１６上にすでに転写されているＹ色＋Ｍ色のトナー像に重畳されて１次転写される。同様に、第４のカートリッジＰＫのドラム４にはフルカラー画像のブラック成分に対応するＫ色トナー像が形成される。そして、そのトナー像が、ベルト１６上にすでに転写されているＹ色＋Ｍ色＋Ｃ色のトナー像に重畳されて１次転写される。
【００３９】
このようにして、ベルト１６上にＹ色＋Ｍ色＋Ｃ色＋Ｋ色の４色フルカラーの未定着トナー像が合成形成される。
【００４０】
各カートリッジＰにおいて、１次転写後にドラム４の表面に残留した転写残トナーはドラムクリーナ装置７によりドラム表面から除去される。
【００４１】
一方、複数の給紙部である第１から第４の給紙カセットＣ１・Ｃ２・Ｃ３・Ｃ４及び手差トレイＣ５の内の選択指定された給紙部の給紙機構が動作して、その給紙部に収納されている記録材Ｓが一枚分離給送される。給送された記録材Ｓは略垂直に形成された縦搬送パス２５により上方へ搬送されてレジストローラ対２６のニップ部に至る。レジストローラ対２６はベルト１６に対するトナー像の形成タイミングに合わせて記録材Ｓを２次転写部に送り出す。即ち、回転するベルト１６上に合成形成された未定着のフルカラートナー像の先端部が２次転写部に到達するタイミングに合わせて記録材Ｓの先端部も２次転写部に到達するように記録材Ｓをタイミング搬送する。これにより、２次転写部を下から上に挟持搬送されていく記録材Ｓの面にベルト１６上の未定着のフルカラートナー像が順次に一括して２次転写されていく。２次転写ローラ２３には、記録材Ｓが、２次転写部を挟持搬送されている間、２次転写電圧電源（不図示）から、トナーの帯電極性とは逆極性の所定の２次転写電圧が印加される。
【００４２】
２次転写部を出た記録材Ｓは、ベルト１６の面から分離され、縦搬送パス２５で更に上方に搬送されて定着装置２７の定着ローラ２７ａと加圧ローラ２７ｂとの圧接部である定着ニップ部に導入される。そして、記録材Ｓが定着ニップ部を挟持搬送されていく間において、未定着のフルカラートナー像が加熱・加圧されて記録材Ｓの表面に定着される。そして、記録材Ｓは、定着装置２７を出て、フルカラー画像形成物として排紙装置２８により装置本体Ａの上面である排紙トレイ２９上に排出される。
【００４３】
また、記録材Ｓに対するトナー像の２次転写後にベルト１６の表面に残留した２次転写残トナー（廃トナー）はベルトクリーナ装置２４によりベルト表面から除去される。
【００４４】
なお、この画像形成装置１は、排紙装置２８の上方に、オプションユニットとして、追加の増設排紙装置３０を配設することができる構成となっている。
【００４５】
モノカラープリントモードの場合には、選択された色のカートリッジだけが画像形成動作するように制御される。
【００４６】
両面プリントモードの場合には、記録材Ｓの搬送は次ぎのようにしてなされる。即ち、定着装置２７を通って排紙装置２８により排紙トレイ２９に排出されていく第１面画像形成済みの記録材Ｓの後端部が排紙装置２８の最終の排紙ローラ対２８ａに達したが、ニップ部を未だ抜けていないタイミングで排紙ローラ対２８ａが逆回転に制御される。これにより、その記録材Ｓがスイッチバック搬送されて両面搬送パス３１側に進入して下方に搬送され、レジストローラ対２６に対して表裏反転された状態になって再送される。そして、以後は、片面プリントモードの場合と同様に、この記録材Ｓがレジストローラ対２６の回転駆動により２次転写部に再導入されて、ベルト１６側から第２面に対するトナー像の２次転写がなされ、次いで再び定着装置２７に導入される。これにより、第１面と第２面の両面に画像形成済みの記録材Ｓが、排紙ローラ対２８ａの回転が正回転に戻されている排紙装置２８で排紙トレイ２９に排出されていく
なお、本実施例の画像形成装置においては、上記４つのカートリッジＰＹ・ＰＭ・ＰＣ・ＰＫをベルト１６の移動方向において、上流側から、イエロー、マゼンタ、シアン、ブラックの色順に配置したが、各カートリッジの配列はこの色順に限られない。
【００４７】
図４はカートリッジＰの現像装置６に対するトナー補給系統とドラムクリーナ装置７からの廃トナーの回収系統の展開模式図である。
【００４８】
各カートリッジＰの現像装置６の現像剤収納部である現像容器６ａには、それぞれ、対応する色のトナーが収容されているトナーカートリッジＴ（ＴＹ・ＴＭ・ＴＣ・ＴＫ）からトナー補給装置３４によりトナーが定量的に補給される。各トナーカートリッジＴ及びトナー補給装置３４はカートリッジＰとは別体の機器である。トナーカートリッジＴとトナー補給装置３４はトナー渡し部（相互連通開口部）３３において連絡している。そして、このトナー渡し部３３で、トナーカートリッジＴ内のトナーがトナー補給装置３４内に逐次に流入して供給される。トナーカートリッジＴ内のトナーは攪拌羽根部材３２の回転により攪拌されてブロック崩しされる。
【００４９】
トナー補給装置３４とカートリッジＰ内の現像容器６ａは第１のトナー渡し部３６において連絡している。そして、この第１のトナー渡し部３６において、トナー補給装置３４内のトナーがスクリュー軸３５が回転制御されることで、現像容器６ａ内に定量的に補給される。例えば、個々のカートリッジＰのトナー残量（又は現像剤濃度（キャリヤに対するトナー比率））を検知する手段を具備させ、コントローラＥにおいて、検知残量値を、予め設定の閾値と比較させる。そして、検知残量値が閾値となったらトナー補給装置３４のスクリュー軸３５を所定の回転数だけ回転させることでトナー補給装置３４内のトナーを現像容器６ａ内に定量的に補給する。このトナー補給制御により現像容器６ａ内のトナー量（又は現像剤濃度）が所定範囲内に維持される。現像容器６ａ内のトナー及び現像容器６ａ内に補給されたトナーはスクリュー軸６ｂ・６ｃで現像容器６ａ内を攪拌・混合されながら循環搬送される。そして、その一部が現像ローラ６ｄに担持されて、ドラム４に形成された静電潜像の現像に消費される。
【００５０】
また、各カートリッジＰにおいて、ベルト１６に対するトナー像の１次転写後にドラム４の表面に残留した転写残トナー（廃トナー）はドラムクリーナ装置７のクリーニングブレード７ａによりドラム表面から除去されてクリーナ容器７ｂ内に溜まる。そして、そのクリーナ容器７ｂ内の廃トナーがスクリュー軸７ｃにより容器長手方向の一端部側（非駆動側）に搬送されて、廃トナー搬送装置３８を通って廃トナー回収装置３９へ回収される。廃トナー回収装置３９は廃トナー搬送装置３８で搬送される廃トナー収容する廃トナーボックスである。上記の廃トナー搬送装置３８と廃トナー回収装置３９はカートリッジＰとは別体の機器である。カートリッジＰ内のクリーナ容器７ｂと廃トナー搬送装置３８は第２のトナー渡し部３７において連絡している。そして、この第２のトナー渡し部３７で、クリーナ容器７ｂ内の廃トナーが廃トナー搬送装置３８に送り込まれる。
【００５１】
図４には省略したけれども、第１のトナー渡し部３６を構成する、カートリッジＰ側の開口と、トナー補給装置３４側の開口には、それぞれ、それらの開口を開閉するための第１と第２のシャッター（トナーシャッター）が配設されている。その第１と第２のシャッターの開閉動作により、第１のトナー渡し部３６の開放と遮蔽がなされる。また、第２のトナー渡し部３７を構成する、カートリッジＰ側の開口には、この開口を開閉するための第３のシャッター（廃トナーシャッター）が配設されている。この第３のシャッターの開閉動作により、第２のトナー渡し部３７の開放と遮蔽がなされる。上記の第１、第２、第３のシャッターについては後述する。
【００５２】
また、中間転写ベルト１６から２次転写残トナーを除去するベルトクリーナ装置２４に溜まる廃トナーも、不図示の連絡部から廃トナー収納装置３９に送り込まれて回収されるようになっている。
【００５３】
《カートリッジ交換方式》
装置本体Ａの前面側には開閉ドア（開閉部材：以下、ドアと記す）２が設けられている。このドア２は、ドア下辺側の左右方向の横軸（ヒンジ軸）２ｂを中心に装置本体Ａに対して開閉回動可能である。図１は、このドア２をヒンジ軸２ｂを中心に立て起こし方向に回動して、装置本体Ａに対して閉じ込んだ状態を示している。２ａはドア２に設けた取手部である。図５は、ドア２をヒンジ軸２ｂを中心に手前側にほぼ水平に倒し回動して開いた状態を示している。ドア２が開かれることで、装置本体Ａの前面側の開口４１が開放されて、装置本体内部の移動部材（フロントアクセスの引き出し式トレイ）としての作像筐体４２が露出する。
【００５４】
この作像筐体４２に、カートリッジＰＹ・ＰＭ・ＰＣ・ＰＫと、各カートリッジに対するトナーカートリッジＴＹ・ＴＭ・ＴＣ・ＴＫ及びトナー供給装置３４と、各カートリッジＰに対する廃トナー搬送装置３８と、廃トナー回収装置３９が支持されている。
【００５５】
装置本体Ａの骨格をなす本体筐体の左フレーム４３Ｌの内側と右フレーム４３Ｒの内側には、それぞれ、前後方向に水平に伸縮可能なレール部材４４Ｌ・４４Ｒ（図６）が配設されている。そして、作像筐体４２はこの左右のレール部材４４Ｌ・４４Ｒにスライド移動可能に保持されている。
【００５６】
従って、作像筐体４２は、カートリッジＰ、トナーカートリッジＴ、廃トナー搬送装置３８、廃トナー回収装置３９を支持して、プロセス装置として、左右のレール部材４４Ｌ・４４Ｒによって装置本体Ａに対して前後方向に水平に移動可能である。
【００５７】
カートリッジＰＹ・ＰＭ・ＰＣ・ＰＫは、作像筐体４２に対して、カートリッジが有するドラム４の軸線方向を作像筐体４２の移動方向に並行な方向にして、左右方向に並べられて支持されている。また、トナーカートリッジＴＹ・ＴＭ・ＴＣ・ＴＫ、トナー供給装置３４、廃トナー搬送装置３８、廃トナー回収装置３９は、作像筐体４２の前枠板部に配設して支持させてある。
【００５８】
そして、作像筐体４２は、レール部材４４Ｌ・４４Ｒによって移動させて、開放した開口４１を通過してカートリッジＰを装置本体Ａの外側において作像筐体４２に対して着脱できる引出し位置（図６・図７）を取り得る。また、作像筐体４２は、レール部材４４Ｌ・４４Ｒによって移動させて、開口４１を通過してカートリッジＰを装置本体Ａの内側のカートリッジ装着部３に装着するための装着位置（図２・図３・図５）を取り得る。
【００５９】
作像筐体４２が所定の装着位置に移動されている状態においては、作像筐体４２側に後方に向って突出させて具備させた４つの位置決めピン４５（図９）が装置本体Ａ側に対応させて具備させた４つの位置決め穴４６（図１０）に嵌合している。これにより、作像筐体４２の装置本体Ａ内における装着位置精度が保障されて、カートリッジＰＹ・ＰＭ・ＰＣ・ＰＫが、装置本体Ａ内のカートリッジ収納部３において、画像形成可能な位置に装着された状態に保持される。
【００６０】
カートリッジＰを交換するときは、閉じられているドア２を開く（図５）。本実施例においては、このドア２の開き回動に連動して、中間転写ベルト装置１５・２１が支軸２１ａ（図２・図３）を中心に所定の角度だけ上方に持ち上げ回動され、その回動位置に保持される。なお、ドア２と中間転写ベルト装置１５・２１の連動機構は図に省略したけれども、ドア２の開閉回動に連動して中間転写ベルト装置１５・２１を上下動させる、カム機構やリンク機構などで適宜に構成することができる。この中間転写ベルト装置１５・２１の上方への回動により、ベルト１６が各カートリッジＰのドラム４の上面に接触している状態から、離間した状態になって保持される。本実施例においては、上記のドア２の開き回動に連動して、中間転写ベルト装置１５・２１を上方へ回動して保持させる連動機構が、中間転写ベルト装置１５・２１をドラム４から離間させる離間手段である。
【００６１】
そこで、使用者が、開口４１から露呈している作像筐体４２の適所をつかんで、作像筐体４２をレール部材４４Ｌ・４４Ｒによって装置本体Ａから前方向に水平にスライド移動させる。この作像筐体４２の前方への移動により、位置決めピン４５が位置決め穴４６から抜け出る（位置決め解除）。また、装置本体Ａ側の駆動出力部４７・４８（図１０）に対するカートリッジＰ側の駆動入力部の結合が解除される（駆動解除）。また、装置本体Ａ側の給電系統に対するカートリッジＰ側の受電系統の導通が断たれる（給電解除）。そして、作像筐体４２を、図６・図７のように、開口４１を通過させて、カートリッジＰを装置本体Ａの外側において着脱できる所定の引出し位置まで十分に引き出す。カートリッジＰの下側に配設のレーザー露光装置９と上側に配設の中間転写ベルト装置１５・２１は装置本体Ａ内に残って支持されている。中間転写ベルト装置１５・２１は、ベルト１６がカートリッジＰのドラム４から離間している状態に移動されているから、作像筐体４２の引出し移動過程においてドラム４とベルト１６との擦れは生じない。従って、ドラム４とベルト１６との擦れによって生じるキズ、メモリを防止することができる。
【００６２】
この作像筐体４２の引出しにより、作像筐体４２に保持されているカートリッジＰＹ・ＰＭ・ＰＣ・ＰＫの全体が開口４１を通過して装置本体Ａの外側に露出し、カートリッジＰの上面が開放される。作像筐体４２は、所定の十分量引き出されると、レール部材４４Ｌ・４４Ｒのストッパ部分（不図示）によりそれ以上の引出しが阻止される。また、作像筐体４２は、所定の引出し位置まで水平に引き出されている状態がレール部材４４Ｌ・４４Ｒにより安定に保たれる。
【００６３】
ベルトクリーナ装置２４と廃トナー収納装置３９は、作像筐体４２が装着位置に位置しているときには不図示の連絡部で連絡している。作像筐体４２の引出しにより連絡部が分離する。この時、ベルトクリーナ装置２４側の連絡部はシャッターにより閉じられて、廃トナーの漏出が防止される。シャッターは、作像筐体４２が装着位置に位置しているときには開かれていて、ベルトクリーナ装置２４の連絡部は廃トナー収納装置３９の連絡部が対応して連通している。
【００６４】
作像筐体４２は、引出し位置において、個々のカートリッジＰを上方から着脱可能に支持している。そこで、交換すべきカートリッジＰを掴んで上方に持ち上げて作像筐体４２から取り外す。そして新しいカートリッジＰを作像筐体４２に対して上方から装着して支持させる。
【００６５】
作像筐体４２からカートリッジＰを取り外す方向のカートリッジの移動に連動して、後述する第１と第２のシャッターが閉じ動作して、トナー補給装置３４からカートリッジＰへトナーを渡す第１のトナー渡し部３６が遮蔽される。また、後述する第３のシャッターも閉じ動作して、カートリッジＰから廃トナー搬送装置３８へ廃トナーを渡す第２のトナー渡し部３７が遮蔽される。また、逆に、作像筐体４２にカートリッジＰを装着方向へのカートリッジの移動に連動して、第１と第２のシャッターが開き動作して、トナー補給装置３４からカートリッジＰへトナーを渡す第１のトナー渡し部３６が開放される。また、第３のシャッターも開き動作して、カートリッジＰから廃トナー搬送装置３８へ廃トナーを渡す第２のトナー渡し部３７が開放される。
【００６６】
上記のように、作像筐体４２を引出し位置に引き出して、交換すべきカートリッジについて交換したら、作像筐体４２を逆に装置本体Ａ内にストッパ部（不図示）でそれ以上の移動が阻止されるまで十分に押し込み移動する。この状態において、作像筐体４２側の位置決めピン４５が装置本体Ａ側の位置決め穴４６に嵌合する。これにより、作像筐体４２が装置本体Ａ内に位置決めされ、カートリッジＰＹ・ＰＭ・ＰＣ・ＰＫが、装置本体Ａ内のカートリッジ収納部３において、画像形成可能な位置に装着された状態に保持される。また、カートリッジＰ側の駆動入力部が装置本体Ａ側の駆動出力部４７・４８（図１０）に対して結合する。また、各カートリッジＰの受電系統が装置本体Ａ側の給電系統に対して導通状態になる。中間転写ベルトユニット１５は、ベルト１６が各カートリッジＰのドラム４から離間している状態に位置移動されているから、作像筐体４２の押し込み移動過程においてドラム４とベルト１６との擦れは生じない。従って、ドラム４とベルト１６との擦れによって生じるキズ、メモリを防止することができる。
【００６７】
そして、ドア２を閉じ込む。このドア２の閉じ回動に連動して、中間転写ベルト装置１５・２１が支軸２１ａを中心に下降回動される。これにより、ベルト１６がカートリッジＰＹ・ＰＭ・ＰＣ・ＰＫのドラム４の上面に対して接触した状態に戻る。
【００６８】
《カートリッジ》
図１１・図１２・図１３は、それぞれ、見る方向を違えたカートリッジＰの外観斜視図である。カートリッジＰはドラム４の軸線方向Ｈ−Ｈを前後方向とし、この前後方向を長手とするアセンブリである。
【００６９】
ドラム４はカートリッジ枠体８の前枠板部（前面板）８ｂと後枠板部（後面板）８ｃにそれぞれ配設した前軸受部５１と後軸受部５２との間に回転可能に支持されて配設されている。後軸受部５２にはドラム駆動入力部としての第１のカップリング嵌合部５３が設けられている。このカップリング嵌合部５３に対して装置本体Ａ側のドラム駆動出力部４７（図１０）が結合することで駆動入力がなされる。これにより、ドラム４が駆動される。また、カートリッジ枠体８の後枠板部８ｃには、現像駆動入力部としての第２のカップリング嵌合部５４が設けられている。このカップリング嵌合部５４に対して装置本体Ａ側の現像駆動出力部４８（図１０）が結合することで駆動入力がなされる。これにより、現像装置６の現像ローラ６ｄとスクリュー軸６ｂ・６ｃの駆動がなされる。
【００７０】
カートリッジＰには、帯電ローラ５に対するバイアス印加用電気接点（不図示）と、現像ローラ６ｄに対するバイアス印加用電気接点（不図示）が配設されている。これらの電気接点は、カートリッジＰが作像筐体４２に装着された状態において、作像筐体４２側に設けた中間電気接点（不図示）と電気的に接触する。そして、中間電気接点は、作像筐体４２が装置本体Ａ内に装着された状態において、装置本体Ａ側の本体電気接点（不図示）と電気的に接触する。これにより、装置本体Ａ側の給電系統とカートリッジＰ側の受電系統の導通がなされる。
【００７１】
上記のカートリッジＰにおいて、カップリング嵌合部５３・５４を具備させた後枠板部８ｃ側が駆動側であり、その反対側の前枠板部８ｂ側が非駆動側である。
【００７２】
また、カートリッジＰの現像容器６ａの非駆動側上面部分に対応する、カートリッジ枠体８の非駆動側上面部分には、現像容器６ａとトナー補給装置３４との第１のトナー渡し部３６を構成するカートリッジ側の開口５５が配設されている。そして、この開口５５を開閉するための第１のシャッター５６が配設されている。
【００７３】
第１のシャッター５６は、カートリッジ枠体８の上面に沿ってカートリッジ左右方向にスライド移動可能に配設されていて、付勢部材（バネ等）５７により開口５５を閉じる方向に常時移動付勢されている。第１のシャッター５６の閉じ方向は、カートリッジＰの作像筐体４２に対する装着（挿入）方向であり、開き方向はその逆方向である。カートリッジＰが作像筐体４２から取り外された自由状態においては、第１のシャッター５６は突き当て部材５８で受け止められるまで閉じ方向に移動して開口５５を遮蔽している。
【００７４】
また、ドラムクリーナ装置７のクリーナ容器７ｂの非駆動側端部に対応する、カートリッジ枠体８の前枠板部８ｂ部分には、周面の一部に開口５９ａを設けた回転筒型の第３のシャッター（廃トナーシャッター）５９が設けられている。この第３のシャッター５９は、カートリッジＰが作像筐体４２から取り外された状態においては、開口５９ａが上向きとなっている回転角姿勢に保持されていている。本実施例においては、この第３のシャッター５９は、開口５９ａが上向きとなっている回転角姿勢がシャッター閉じ状態であり、開口５９ａが上向きであることで、クリーナ容器７ｂからの廃トナーの漏出が阻止される。
【００７５】
《作像筐体》
図１４は作像筐体単体の外観斜視図である。作像筐体４２は、合成樹脂製又は板金製又は複合材製であり、前後左右の枠板部４２ａ・４２ｂ・４２ｃ・４２ｄを結合させて、４つのカートリッジＰＹ・ＰＭ・ＰＣ・ＰＫを収容することができる枠部を構成させている。
【００７６】
前枠板部４２ａには、各カートリッジＰの前軸受部５１（第１の被位置決め部）をそれぞれ受け止めるための４つの凹部６０（第１の位置決め部）が形成されている。また、廃トナー搬送装置３８を配設するための穴部６１が形成されている。
【００７７】
後枠板部４２ｂには、各カートリッジＰの後軸受部５２（第２の被位置決め部）をそれぞれ受け止めるための４つの凹部６２（第２の位置決め部）が形成されている。また、装置本体Ａ側の４つの現像駆動出力部４８（図１０）が出入りする４つの穴部６３が形成されている。
【００７８】
前枠板部４２ａの外側に、図１５・図１６のように、トナーカートリッジＴＹ・ＴＭ・ＴＣ・ＴＫ、トナー供給装置３４、廃トナー搬送装置３８、廃トナー回収装置３９が配設されている。前枠板部４２ａの内側には、各カートリッジＰに対する４つのトナー供給パイプ部６４が突出している。この各パイプ部６４には、トナー補給装置３４からカートリッジＰへトナーを渡す第１のトナー渡し部３６を構成する、トナー補給装置側の開口６５（図２１・図２２）と、この開口６５を開閉するための第２のシャッター７１が配設されている。また、前枠板部４２ａの内側には、各カートリッジＰから廃トナー搬送装置３８へ廃トナーを渡す第２のトナー渡し部３７を構成する、廃トナー搬送装置３８側の４つの上向きの開口６７が配設されている。
【００７９】
また、前枠板部４２ａの内側と後枠板部４２ａの内側には、それぞれ、カートリッジＰの作像筐体４２に対する着脱ガイド用の第１と第２の案内レール６８・６９が配設されている。この第１と第２の案内レール６８・６９は第１から第４の４つの各カートリッジＰＹ・ＰＭ・ＰＣ・ＰＫに対応する４組が配設されている。
【００８０】
《カートリッジの作像筐体に対する着脱とシャッターの開閉連動機構》
本実施例においては、第１と第２の案内レール６６・６７は、作像筐体４２を手前側から見て、左下がりに傾斜させて配設されている。カートリッジＰの作像筐体４２に対する装着は次のような要領にてなされる。即ち、カートリッジＰのクリーナ容器７ｄ側を掴む。そのカートリッジＰを、現像容器６ａ側を先にして作像筐体４２に対して上方から、図１７・図１８のように、案内レール６６・６７の傾斜に対応させて左下がりの斜め姿勢で挿入する。そして、カートリッジＰの非駆動側と駆動側の下面部分を、それぞれ、第１と第２の案内レール６６・６７上に乗せる。更に、カートリッジＰを、案内レール６６・６７に沿わせて下方にスライド移動させながら作像筐体４２内に挿入する。最終的に、前軸受部５１と後軸受部５２とを、それぞれ、作像筐体４２の前枠板部４２ａ側と後枠板部４２ｂ側の凹部６０・６２に嵌入係合させて受け止めさせる。これにより、カートリッジＰが案内レール６６・６７と凹部６０・６２により支持されて、作像筐体４２に対して位置決めされた状態で装着される。
【００８１】
カートリッジＰの第１のシャッター５６は、前述したように、カートリッジＰが作像筐体４２から取り外されている自由状態においては、付勢部材５７により上向きの開口５５を閉じた状態に保持されている。また、第３のシャッター５９も、開口５９ａが上向きとなっている、シャッター閉じの回転角姿勢に保持されている。
【００８２】
各トナー供給装置３４のトナー供給パイプ部６４の開口６５（図２１・図２２）は下向きである。そして、この開口６５を開閉するための第２のシャッター７１は、開口６５の開口面に沿って左右方向にスライド移動可能に配設されていて、付勢部材（バネ等）７２により開口６５を閉じる方向に常時移動付勢されている。この第２のシャッター７１の閉じ方向は、カートリッジＰの作像筐体４２に対する装着方向とは逆方向であり、開き方向はその逆方向である。第２のシャッター７１は、カートリッジＰが作像筐体４２から取り外されている状態においては、突き当て部材（不図示）で受け止められるまで閉じ方向に移動して開口６５を遮蔽している。
【００８３】
図２１は、作像筐体４２に対するカートリッジＰの挿入移動の途中時を示している。この挿入移動の途中時においては、第１のシャッター５６と第２のシャッター７１は何れも未だ開口５５と６５を閉じている状態にある。
【００８４】
カートリッジＰが更に挿入されると、第１のシャッター５６の上方折り曲げ縁部５６ａがトナー供給パイプ部６４の突き当て部６４ａに当接して受け止められる。また、第２のシャッター７１の下方折り曲げ縁部７１ａにカートリッジＰの突き当て部８ｄが当接する。そして、カートリッジＰが更に挿入されることで、第１のシャッター５６は、トナー供給パイプ部６４の突き当て部６４ａで受け止められているので、挿入移動するカートリッジＰに対して付勢部材５７の付勢力に抗して相対的に開き方向に移動していく。また、第２のシャッター７１は、挿入方向に移動するカートリッジＰに押されてカートリッジＰと一緒に付勢部材７２の付勢力に抗して開き方向に移動していく。このように、カートリッジＰの挿入移動に連動して、第１と第２のシャッター５６・７１が互いに開き動作して、開口５５が開口６５に対応していく。そして、カートリッジＰが、最終的に、作像筐体４２に対して位置決めされて装着された状態において、図２２のように、第１と第２のシャッター５６・７１が共に十分に開き切って、開口５５が開口６５に対して合致した状態になる。即ち、第１のトナー渡し部３６を構成するカートリッジ側の開口５５とトナー補給装置３４側の開口６５とが対応して、第１のトナー渡し部３６が開放状態になる。
【００８５】
また、第３のシャッター５９は、作像筐体４２に対するカートリッジＰの挿入移動の途中時においては、未だ開口５９ａが上向きの、シャッター閉じの回転角姿勢に保持されている（図２２）。カートリッジＰが更に挿入されると、第３のシャッター５９に同心一体に設けたピニオンギア５９ｂが、第１の案内レール６６に設けたラックギア部６６ａに噛合う。そして、カートリッジＰが更に挿入されことで、ピニオンギア５９ｂがラックギア部６６ａに対する噛合により図２２において反時計方向に回転する。即ち、第３のシャッター５９が、カートリッジＰの装着方向への移動に連動して、反時計方向に回転していく。そして、カートリッジＰが、最終的に、作像筐体４２に対して位置決めされて装着された状態において、第３のシャッター５９が略１８０°回転する。この第３のシャッター５９の回転により、開口５９ａが下向きとなって廃トナー搬送装置３８側の上向きの開口６７に対して合致した状態になる。本実施例においては、第３のシャッター５９は開口５９ａが下向きとなっている回転角姿勢がシャッター開き状態である。即ち、第２のトナー渡し部３７を構成するカートリッジ側の開口５９ａと廃トナー搬送装置３８側の開口６７とが対応して、第２のトナー渡し部３７が開放状態になる。
【００８６】
上述した第１と第２のシャッター５６・７１の閉じ位置から開き位置への移動動作、及び第３のシャッター５９の閉じ位置から開き位置への回動動作は、カートリッジＰの作像筐体４２に対する装着移動過程における終期過程でなされる。
【００８７】
一方、作像筐体４２に対して装着されているカートリッジＰの取り外しは、カートリッジＰをそのクリーナ容器７ｄ側を掴み、案内レール６６・６７に沿わせてカートリッジ装着方向とは逆方向に上方にスライド移動させて作像筐体４２内から抜き外す。
【００８８】
このカートリッジＰの取り外し移動に伴って、トナー供給パイプ部６４の突き当て部６４ａで受け止められている第１のシャッター５６が、取り外し方向に移動するカートリッジＰに対して付勢部材５７の付勢力で相対的に閉じ方向に移動していく。また、第２のシャッター７１も、取り外し移動するカートリッジＰと共に付勢部材７２の付勢力で閉じ方向に移動していく。カートリッジＰが更に取り外し移動されることで、第１のシャッター５６は突き当て部材５８で受け止められるまで付勢部材７２の付勢力で閉じ移動して開口５５を隠蔽する。また、第２のシャッター７１も突き当て部材（不図示）で受け止められるまで付勢部材７２の付勢力で閉じ移動して開口６５を隠蔽する。即ち、カートリッジＰの取り外し方向への移動に連動して、第１のトナー渡し部３６を構成するカートリッジ側の開口５５とトナー補給装置３４側の開口６５とが、それぞれ、第１と第２のシャッター５６・７１で隠蔽される。これが、第１のトナー渡し部３６の隠蔽状態である。
【００８９】
また、第３のシャッター５９は、カートリッジＰの取り外し移動により、ピニオンギア５９ｂが、ラックギア部６６ａに対する噛合により図２３においてカートリッジの装着移動時とは逆の時計方向に戻り回転する。即ち、第３のシャッター５９が、カートリッジＰの取り外し方向への移動に連動して時計方向に回転して、開口下向きのシャッター開き状態から開口上向きのシャッター閉じ状態となり、ピニオンギア５９ｂがラックギア部６６ａから外れる。これにより、第２のトナー渡し部３７を構成するカートリッジ側の開口５９ａが上向きとなって、廃トナー搬送装置３８側の開口６７から離れていく。これが、第２のトナー渡し部３７の隠蔽状態である。
【００９０】
上記の第１と第２のシャッター５６・７１の開き位置から閉じ位置への移動動作、及び第３のシャッター５９の開き位置から閉じ位置への回動動作は、カートリッジＰの作像筐体４２からの取り外し移動過程における初期過程でなされる。
【００９１】
上記のように、装置本体Ａに、カートリッジＰを支持してカートリッジＰを装置本体Ａの外側において着脱できる引出し位置と、カートリッジＰを装置本体Ａの内側に装着するための装着位置と、を取り得る移動部材としての作像筐体４２を具備させる。この作像筐体４２に、カートリッジＰに対するトナーカートリッジＴ、トナー供給装置３４、廃トナー搬送装置３８、廃トナー回収装置３９を支持させる。そして、この作像筐体４２を装置本体Ａの外側に引出し引き出した状態において、第１のトナー渡し部３６と第２のトナー渡し部３７の開放と遮蔽を行わせる。これにより、装置本体Ａ内のレーザー露光装置９上への、第１のトナー渡し部３６における第１と第２のシャッター５６・７１及び第２のトナー渡し部３７における第３のシャッター５９の開閉動作に伴う飛散トナーの落下を防ぎ、画像不良を防止できる。
【００９２】
また、第１のトナー渡し部３６における第１と第２のシャッター５６・７１及び第２のトナー渡し部３７における第３のシャッター５９の開閉動作は、カートリッジＰの作像筐体４２に対する着脱移動に連動させて行わせる。そうすれば、第１と第２のシャッター５６・７１と第３のシャッター５９は、作像筐体４２に対するカートリッジ交換のタイミングでしか開閉を行わないので、シャッター開閉の回数が激減でき、トナー飛散が非常に少なくなる。
【００９３】
［実施例２］
図２３から図３２により本実施例を説明する。実施例１の画像形成装置と共通する構成部材・部分には同じ符号を付して再度の説明を省略する。
【００９４】
移動部材である作像筐体４２には、実施例１と同様に、カートリッジＰ、トナーカートリッジＴ、トナー供給装置３４、廃トナー搬送装置３８、廃トナー回収装置３９、を支持させている。本実施例においては、この作像筐体４２に、更に、ベルトクリーナ装置２４を含む中間転写ベルト装置１５・２１をプロセスカートリッジ交換用カバーとして支持させてある。従って、ドア２を開けて、作像筐体４２をレール部材４４Ｌ・４４Ｒによって装置本体Ａの内側から前方の外側へ引き出すと、ベルトクリーナ装置２４を含む中間転写ベルト装置１５・２１も装置本体Ａの外側に引き出される（図２３）。
【００９５】
中間転写ベルト装置１５・２１は、作像筐体４２に支持されているカートリッジＰＹ・ＰＭ・ＰＣ・ＰＫの上側に配置されており、作像筐体４２に対して左側の支軸２１ａを中心に、カートリッジＰに対して開閉可能（起倒回動可能）に支持されている。そして、中間転写ベルト装置１５・２１は、作像筐体４２を引出し位置に引き出した状態において、作像筐体４２に支持されているカートリッジＰＹ・ＰＭ・ＰＣ・ＰＫに対して、図２３のように倒し込んだ閉じ姿勢に転換可能である。また、図２４のように所定角度起立させた開き姿勢に転換可能である。Ｈ１は中間転写ベルト装置１５・２１の閉じ姿勢への回動方向、Ｇ１は開き姿勢への回動方向である。２１ｂは転写フレーム２１の上面の右側に設けた、中間転写ベルト装置１５・２１の開閉操作用の取手部である。中間転写ベルト装置１５・２１が閉じ姿勢に転換されているときは、中間転写ベルトユニット１５のベルト１６の下面が各カートリッジＰのドラム４の上面に対して接触した状態になっている。また、中間転写ベルト装置１５・２１は所定の角度に開き回動されると、ストッパ機構（不図示）により、その開き姿勢が安定に保持されるようになっている。そして、中間転写ベルト装置１５・２１が開き姿勢に転換されているときは、各カートリッジＰの上方部が大きく開放される。これにより、実施例１の場合と同様に、作像筐体４２に対する各カートリッジＰの交換作業を行うことができる。そして、交換すべきカートリッジについて交換したら、ストッパ機構を解除して中間転写ベルト装置１５・２１を図２３の閉じ姿勢に転換する。それから、作像筐体４２を装置本体Ａ内に十分に押し込み移動して、ドア２を閉じ込む。
【００９６】
本実施例においては、中間転写ベルト装置１５・２１の開閉回動に連動させて、トナー補給装置３４からカートリッジＰへトナーを渡す第１のトナー渡し部３６におけるトナー補給装置３４側の第２のシャッター７１の開閉を行なわせている。即ち、本実施例においては、中間転写ベルト装置１５・２１のＧ１方向とＨ１方向への回動時に、中間転写ベルト装置１５・２１の支軸（回動軸）２１ａに同軸に固着したギア７３からギア列７４を介して、開閉ラック７５がＪ１、Ｋ１方向へ移動する。中間転写ベルト装置１５・２１が閉じ姿勢から開き姿勢に転換されるときのＧ１方向への回動に連動して開閉ラック７５はＪ１方向へ移動する。また、逆に、中間転写ベルト装置１５・２１が開き姿勢から閉じ姿勢に転換されるときのＨ１方向への回動に連動して開閉ラック７５はＫ１方向へ移動する。
【００９７】
従って、中間転写ベルト装置１５・２１を開き姿勢にして作像筐体４２からカートリッジＰを外す時は、開閉ラック７５がＪ１方向へ移動する。この開閉ラック７５のＪ１方向へ移動に連動して、開閉ラック７５に連絡したギア７６を介して、シャッター移動部材７７と第２のシャッター７１がＬ２方向（シャッター閉じ方向）へ移動する（図２６）。これにより、トナー補給装置３４からカートリッジＰへの第１のトナー渡し部３６が遮断される。そして、カートリッジＰを作像筐体４２からＳ１方向へ抜き出すことで、カートリッジＰを取り出せる。また、逆に、カートリッジＰを作像筐体４２にＴ１方向へ挿入してセットし、中間転写ベルト装置１５・２１を閉じ姿勢に転換する。そうすると、開閉ラック７５がＫ１方向に移動し、シャッター移動部材７７と第２のシャッター７１がＬ１方向（シャッター開き方向）へ移動し、トナー補給装置３４からカートリッジＰへの第１のトナー渡し部３６が開放しトナー補給が可能となる（図２７）。
【００９８】
また、本実施例においては、中間転写ベルト装置１５・２１のＧ１方向とＨ１方向への回動に連動させて、第２のトナー渡し部３７における第３のシャッター５９と第４のシャッター７９の開閉を行なわせている。第３のシャッター５９はカートリッジＰ側の廃トナー出口部の開口を開閉する廃トナーシャッターであり、第４のシャッター７９は廃トナー搬送装置３８側の廃トナー入口部の開口６７（図１６）を開閉する廃トナーシャッターである。
【００９９】
この第３と第４のシャッター５９・７９と、その開閉機構を、図２８から図３２により説明する。図２８から図３０を参照して、開閉ラック７５に設けたギア部７８と廃トナー搬送装置３８側の第４のシャッター７９の回動軸８０上にあるギア８１がかみ合い、第４のシャッター７９の回動を行う。そして、カートリッジＰが作像筐体４２に装着された状態において、上記の第４のシャッター７９に対して、カートリッジＰ側の第３のシャッター５９（図３１）が、図３２のようにＶ１部で結合する。これにより、中間転写ベルト装置１５・２１のＧ１方向とＨ１方向への回動に連動して、開閉ラック７５を介して、廃トナー搬送装置３８側の第４のシャッター７９とカートリッジＰ側の第３のシャッター５９が一緒に開閉回動可能となる。即ち、中間転写ベルト装置１５・２１が開かれることで、これに連動して、第３と第４のシャッター５９・７９が閉じ回動して第２のトナー渡し部３７が遮蔽される（図３２の（ａ））。そして、第２のトナー渡し部３７が遮蔽された状態において、カートリッジＰが作像筐体４２から取り外される。また、第２のトナー渡し部３７が遮蔽された状態において、カートリッジＰが作像筐体４２に装着される。そして、その後に、中間転写ベルト装置１５・２１が閉じられることで、それに連動して、第３と第４のシャッター５９・７９が開き回動して第２のトナー渡し部３７が開放される（図３２の（ｂ））。これにより、廃トナーの処置が可能となる。図２９・３０において、３８ａは廃トナー搬送装置３８内に配設された、トナーを搬送するスクリュー軸或いはフレキシブルな回転コイル部材である。また、図３２において、７９ａは第４のシャッター７９側の開口、ｔａはクリーナ容器７ｂ内の廃トナーを示している。
【０１００】
本実施例においては、中間転写ベルト装置１５・２１をプロセスカートリッジ交換用カバーとし、この中間転写ベルト装置１５・２１の開閉回動に連動させて、第１と第２のトナー渡し部３６・３７のシャッター７１・７９・５９の開閉をおこなった。プロセスカートリッジ交換用カバーとしては、中間転写ベルト装置１５・２１以外の、アクセス時に移動する物を用いても良い。
【０１０１】
このように、カートリッジのアクセスに連動してトナーシャッター、廃トナーシャッターの開閉を行い、トナー乃至廃トナーの受け渡し部の遮断・開放をすることで、画像形成装置本体内のレーザー露光装置への飛散トナー落下による画像不良が発生しなくなる。
【０１０２】
また、本実施系では、カートリッジＰが作像筐体４２にセットされた後に、シャッターの開閉を行うのでシャッター開閉による飛散トナーが非常に少ない。
【０１０３】
また、カートリッジ交換時しかシャッター開閉を行わないので、シャッター開閉数も少なく、飛散トナーが殆ど無い画像形成装置が実現できる。
【０１０４】
［その他の事項］
１）カートリッジＰにはドラムクリーナ装置７を具備させず、トラム４上の廃トナーは中間転写ベルト１６に転写させてベルトクリーナ装置２４に回収させる装置構成にすることもできる。
【０１０５】
２）ドラム４上の転写残トナーを現像装置６げ現像同時回収させてドラムクリーナ装置７を無しにしたクリーナレスのカートリッジ構成にすることもできる。
【０１０６】
３）実施例に示した電子写真画像形成装置はカートリッジを４つ用いるものであるが、カートリッジの数は４つに限られるものではない。任意の複数、あるいは１つであってもよい。
【０１０７】
４）中間転写方式でなく、ドラム４に形成されたトナー像を記録媒体である記録材に直接に転写する装置構成にすることもできる。
【図面の簡単な説明】
【０１０８】
【図１】実施例の電子写真画像形成装置の斜視図
【図２】この画像形成装置の縦断正面模式図
【図３】図２の部分的な拡大図
【図４】カートリッジの現像装置に対するトナー補給系統と、ドラムクリーナ装置からの廃トナーの回収系統の展開模式図
【図５】前面ドアを開いた状態の画像形成装置の斜視図
【図６】作像筐体を引き出した状態の画像形成装置の斜視図（その１）
【図７】作像筐体を引き出した状態の画像形成装置の斜視図（その２）
【図８】カートリッジ、トナーカートリッジ、廃トナー搬送装置、廃トナー回収装置を支持させている作像筐体を前面側から見た斜視図
【図９】カートリッジ、トナーカートリッジ、廃トナー搬送装置、廃トナー回収装置を支持させている作像筐体を後面側から見た斜視図
【図１０】前面ドアが開かれていて、作像筐体が外されている状態の画像形成装置の斜視図
【図１１】カートリッジの斜視図（その１）
【図１２】カートリッジの斜視図（その２）
【図１３】カートリッジの斜視図（その３）
【図１４】カートリッジ、トナーカートリッジ、廃トナー搬送装置、廃トナー回収装置を支持していない作像筐体単体の斜視図
【図１５】トナーカートリッジ、廃トナー搬送装置、廃トナー回収装置を支持させている作像筐体を前面側から見た斜視図
【図１６】トナーカートリッジ、廃トナー搬送装置、廃トナー回収装置を支持させている作像筐体を後面側から見た斜視図
【図１７】カートリッジの装着要領を示す図（その１）
【図１８】カートリッジの装着要領を示す図（その２）
【図１９】カートリッジの装着要領を示す図（その３）
【図２０】カートリッジの装着要領を示す図（その４）
【図２１】カートリッジの装着要領を示す図（その５）
【図２２】カートリッジの装着要領を示す図（その６）
【図２３】実施例２の画像形成装置について、作像筐体を引き出した状態の斜視図
【図２４】さらに、中間転写ベルト装置を開いた状態の斜視図
【図２５】中間転写ベルト装置を開いた状態の要部の拡大斜視図
【図２６】中間転写ベルト装置の開閉と第２のシャッターの連動機構の説明図（その１）
【図２７】中間転写ベルト装置の開閉と第２のシャッターの連動機構の説明図（その２）
【図２８】第４のシャッターの説明図
【図２９】中間転写ベルト装置の開閉と第４のシャッターの連動機構の説明図（その１）
【図３０】中間転写ベルト装置の開閉と第４のシャッターの連動機構の説明図（その２）
【図３１】カートリッジの第３のシャッター配設側の部分的斜視図
【図３２】第４のシャッターと第３のシャッターの結合図
【符号の説明】
【０１０９】
１・・電子写真画像形成装置、Ａ・・装置本体、Ｂ・・画像読取装置、Ｃ１〜Ｃ５・・給紙部、Ｐ（ＰＹ・ＰＭ・ＰＣ・ＰＫ）・・プロセスカートリッジ、４・・電子写真感光ドラム、５・・帯電ローラ、６・・現像装置、７・・ドラムクリーナ装置、９・・像露光装置（レーザー露光装置）、１５・・中間転写ベルトユニット、Ｔ（ＴＹ・ＴＭ・ＴＣ・ＴＫ）・・トナーカートリッジ、３４・・トナー補給装置、３８・・廃トナー搬送装置、３９・・廃トナー回収装置、４２・・作像筐体（移動部材）、３６・・第１のトナー渡し部、３７・・第２のトナー渡し部、５６・・第１のシャッター、７１・・第２のシャッター、５９・・第３のシャッター、７９・・第４のシャッター
【図１】
2009086417.tif 000003
【図２】
2009086417.tif 000004
【図３】
2009086417.tif 000005
【図４】
2009086417.tif 000006
【図５】
2009086417.tif 000007
【図６】
2009086417.tif 000008
【図７】
2009086417.tif 000009
【図８】
2009086417.tif 000010
【図９】
2009086417.tif 000011
【図１０】
2009086417.tif 000012
【図１１】
2009086417.tif 000013
【図１２】
2009086417.tif 000014
【図１３】
2009086417.tif 000015
【図１４】
2009086417.tif 000016
【図１５】
2009086417.tif 000017
【図１６】
2009086417.tif 000018
【図１７】
2009086417.tif 000019
【図１８】
2009086417.tif 000020
【図１９】
2009086417.tif 000021
【図２０】
2009086417.tif 000022
【図２１】
2009086417.tif 000023
【図２２】
2009086417.tif 000024
【図２３】
2009086417.tif 000025
【図２４】
2009086417.tif 000026
【図２５】
2009086417.tif 000027
【図２６】
2009086417.tif 000028
【図２７】
2009086417.tif 000029
【図２８】
2009086417.tif 000030
【図２９】
2009086417.tif 000031
【図３０】
2009086417.tif 000032
【図３１】
2009086417.tif 000033
【図３２】
2009086417.tif 000034